(57)【要約】【課題】閉鎖時に前扉と筐体の隙間をなくし強固に前扉を保持し、不正行為に対する高いセキュリティ性を具備することができるバタフライ型のゲーム機用蝶番を提供する。【解決手段】固定部材１には、縦長の取付板部２の正面側に、円弧状に曲げられた円弧状板部３を介して軸受板部４が、外側に鋭角に曲折されて延設される。軸受板部の外側端部に複数の固定軸受部５が所定の間隔で設けられ、取付板部２に固定孔２ｂ及び仮止め溝２ａが設けられる。可動部材１１には、縦長の取付板部１２の背面側に可動軸受部１５が所定の間隔で設けられる。取付板部１２の正面側に固定部材の円弧状板部の曲率と略同じ曲率の円弧状板部１３が閉鎖時に固定部材の円弧状板部と重なり合うように設けられる。横断面を略Ｌ形に曲折された縦長の防護壁板１４が取付板部１２の外側に固定されている。【選択図】図３
2014135977.tif 000002
【特許請求の範囲】
【請求項１】
ゲーム機の筐体に固定され、複数の固定軸受部を設けた縦長の固定部材と、
該固定部材の複数の固定軸受部間に配置される複数の可動軸受部を有し、ゲーム機の前扉に取り付けられる可動部材と、を備え、１本の軸線上に配置された該固定軸受部と該可動軸受部に１本のヒンジ軸が貫装されてなるバタフライ型のゲーム機用蝶番において、
該固定部材は、縦長の取付板部の正面側に、円弧状に曲げられた円弧状板部を介して軸受板部が、外側に鋭角に曲折されて延設され、該軸受板部の外側端部に前記複数の固定軸受部が所定の間隔で設けられ、且つ該取付板部に固定孔を設けて構成され、
該可動部材は、縦長の取付板部の背面側に前記複数の可動軸受部が所定の間隔で設けられ、該取付板部の正面側に前記固定部材の円弧状板部の曲率と略同じ曲率の円弧状板部が閉鎖時に該固定部材の該円弧状板部と重なり合うように設けられ、横断面を略Ｌ形に曲折された縦長の防護壁板が該取付板部の外側に固定されて構成され、
該固定部材と該可動部材は、該固定軸受部と該可動軸受部を組み合わせ、該ヒンジ軸を該固定軸受部と該可動軸受部に貫装して組み付けられ、
該可動部材を該ゲーム機の前扉の内側に固定した状態で、該前扉の位置を調整しながら、該固定部材の該取付板部をゲーム機の筐体側に係止させ、該固定孔に固定ねじをねじ込み該固定部材を該筐体の内側に固定することを特徴とするゲーム機用蝶番。
【請求項２】
前記防護壁板は、本体板部と取付板部を有して横断面を略Ｌ形に曲折され、前記可動部材の取付板部の外側に、該防護壁板の該取付板部を重ね合わせて固定されることを特徴とする請求項１記載のゲーム機用蝶番。
【請求項３】
前記固定部材の取付板部に、前記筐体の被係止部に係止させる仮止め溝が設けられたことを特徴とする請求項１記載のゲーム機用蝶番。
【請求項４】
前記固定部材及び可動部材の上端部と下端部に、前記ヒンジ軸を貫装した状態でカバー部材が嵌着されることを特徴とする請求項１記載のゲーム機用蝶番。
【発明の詳細な説明】
【技術分野】
【０００１】
本発明は、スロットマシンなどのゲーム機の前扉を筐体に対し開閉自在に取り付けるバタフライ型のゲーム機用蝶番に関する。
【背景技術】
【０００２】
従来、スロットマシンなどのゲーム機の前扉を筐体に対し開閉自在に取り付けるゲーム機用蝶番は、前扉を取り付ける際の取付作業性の容易さから、ヒンジ軸を軸受部に対し着脱可能とした構造の各種蝶番が広く使用されている（例えば下記特許文献１を参照）。
【０００３】
一方、この種のゲーム機用蝶番として、バタフライ型の蝶番が、下記特許文献２等で知られており、このバタフライ式蝶番は、比較的簡単な構造で小形な形状であり、狭小スペースに取り付けることができ、安価な製造コストで製造することができる。しかし、この蝶番は、ヒンジ軸（ピン）を軸受部に着脱自在に嵌め込む構造のため、前扉を筐体に対し取り付ける際、可動部材を固定した前扉を動かしながらヒンジ軸の先端を、筐体に固定した固定部材の軸受孔に合せて嵌め込む必要があり、多少ながら組付け作業性に課題があった。
【０００４】
ところで、バタフライ型蝶番は、蝶番の取付板とヒンジ軸が同一平面内に位置するため、通常、ヒンジ軸を筐体または扉の縁部から露出する位置に取り付けて使用されることとなる。つまり、筐体と前扉間の内側に蝶番を取り付けた場合、前扉を開放したとき、必然的に、前扉の縁部が筐体側に進入するため、その部分を切り欠いておく必要があり、その縁部を切り欠くことにより、筐体と前扉間に隙間が生じる。この隙間をなくすために、バタフライ型蝶番は通常、そのヒンジ軸を筐体の外側に露出させて取り付けられる。
【先行技術文献】
【特許文献】
【０００５】
【特許文献１】特許第３６６３５４０号公報
【特許文献２】特許第３０２６１６８号公報
【発明の概要】
【発明が解決しようとする課題】
【０００６】
しかるに、ゲーム機の外観性の向上からはヒンジ軸を内部に隠すことが望まれ、さらにゲーム機のセキュリティの観点から、ヒンジ軸を含め蝶番全体を筐体や前扉の内部に隠すことが望まれている。
【０００７】
また、蝶番を筐体及び前扉の内側に取り付けた場合、この種のバタフライ型蝶番の構造の必然性から、前扉を開放する際、前扉の蝶番側の縁部が筐体側に進入することとなる。このため、その進入部分を見越して前扉の蝶番側の縁部または筐体側縁部を切り欠く必要が生じ、その切欠部分によって、前扉を閉じた際、筐体と前扉の間に隙間が発生する。
【０００８】
このため、不正行為防止の観点から、このような隙間は最小とする必要があり、筐体及び前扉の内側に蝶番を隠して取り付けることができるとともに、前扉の閉鎖時に隙間が生じず、簡単な構造のバタフライ型のゲーム機用蝶番が要望されている。
【０００９】
本発明は、上記の点に鑑みてなされたもので、閉鎖時に前扉と筐体の隙間をなくし強固に前扉を保持し、不正行為に対する高いセキュリティ性を具備することができるバタフライ型のゲーム機用蝶番を提供することを目的とする。
【課題を解決するための手段】
【００１０】
上記目的を達成するために、本発明のゲーム機用蝶番は、
ゲーム機の筐体に固定され、複数の固定軸受部を設けた縦長の固定部材と、
該固定部材の複数の固定軸受部間に配置される複数の可動軸受部を有し、ゲーム機の前扉に取り付けられる可動部材と、を備え、１本の軸線上に配置された該固定軸受部と該可動軸受部に１本のヒンジ軸が貫装されてなるバタフライ型のゲーム機用蝶番において、
該固定部材は、縦長の取付板部の正面側に、円弧状に曲げられた円弧状板部を介して軸受板部が、外側に鋭角に曲折されて延設され、該軸受板部の外側端部に前記複数の固定軸受部が所定の間隔で設けられ、且つ該取付板部に固定孔を設けて構成され、
該可動部材は、縦長の取付板部の背面側に前記複数の可動軸受部が所定の間隔で設けられ、該取付板部の正面側に前記固定部材の円弧状板部の曲率と略同じ曲率の円弧状板部が閉鎖時に該固定部材の該円弧状板部と重なり合うように設けられ、横断面を略Ｌ形に曲折された縦長の防護壁板が該取付板部の外側に固定されて構成され、
該固定部材と該可動部材は、該固定軸受部と該可動軸受部を組み合わせ、該ヒンジ軸を該固定軸受部と該可動軸受部に貫装して組み付けられ、
該可動部材を該ゲーム機の前扉の内側に固定した状態で、該前扉の位置を調整しながら、該固定部材の該取付板部をゲーム機の筐体側に係止させ、該固定孔に固定ねじをねじ込み該固定部材を該筐体の内側に固定することを特徴とする。
【００１１】
なお、ここで、上記正面、背面とは、後述の図において矢印Ｆと矢印ＲＥで示すように、ゲーム機に蝶番を取り付け閉鎖した状態で、ゲーム機の正面から蝶番を見たときの正面、背面を意味する。
【００１２】
この発明によれば、簡単な構造のバタフライ型の蝶番であっても、固定部材の取付板部から円弧状に曲げられた円弧状板部を介して突出する軸受板部に、ヒンジ軸が支持されるので、前扉の縁部を切り欠くことなく、前扉の内側に可動部材を取り付け、前扉と筐体間に隙間を作らずに、閉鎖することができる。さらに、前扉の閉鎖時には、該可動部材の取付板部の円弧状板部が該固定部材の円弧状板部と重なり、且つ特に防護壁板が可動部材と固定部材間を塞ぐため、前扉と筐体間に隙間が生じたとしても、防護壁板、取付板部、或いは円弧状板部によって、バール等の不正器具を隙間に差し込んで行われる不正行為を防止することができる。
【００１３】
ここで、上記ゲーム機用蝶番において、上記防護壁板は、本体板部と取付板部を有して横断面を略Ｌ形に曲折され、上記可動部材の取付板部の外側に、防護壁板の取付板部を重ね合わせて固定することが好ましい。これによれば、可動部材を効果的に補強できるとともに、不正行為に対する防護を向上させることできる。
【００１４】
また、上記ゲーム機用蝶番において、上記固定部材の取付板部に、前記筐体の被係止部に係止させる仮止め溝を設けることが好ましい。これによれば、前扉の取付作業に際し、先ず前扉に蝶番の可動部材を取り付けた状態で、蝶番の固定部材の取付板部を、筐体側の被係止部に仮止め溝を係止して固定することができるので、簡便な作業で迅速に前扉の取り付けを行なうことができる。
【００１５】
さらに、上記ゲーム機用蝶番において、固定部材及び可動部材の上端部と下端部に、ヒンジ軸を貫装した状態でカバー部材を嵌着することが好ましい。これによれば、前扉の開放時に、蝶番のヒンジ軸が露出することがなく、見栄えを良くするとともに、ヒンジ軸に対する不正行為を防止することができる。
【発明の効果】
【００１６】
本発明のゲーム機用蝶番によれば、閉鎖時に前扉と筐体の隙間をなくし強固に前扉を保持し、不正行為に対する高いセキュリティ性を具備することができ、筐体と前扉間の蝶番側の隙間から、バールなどの不正器具を差し込み、前扉をこじ開けようとする不正行為を防止することができる。
【図面の簡単な説明】
【００１７】
【図１】本発明の一実施形態を示すゲーム機用蝶番の正面図である。
【図２】同蝶番の背面図である。
【図３】同蝶番の右側面図である。
【図４】同蝶番の左側面図である。
【図５】同蝶番の拡大平面図である。
【図６】（ａ）は可動部材を閉じた状態の蝶番の斜視図、（ｂ）は可動部材を僅かに開いたときの斜視図である。
【図７】（ａ）は可動部材をさらに開いたとき斜視図、（ｂ）は可動部材を完全に開いたときの斜視図である。
【図８】蝶番の分解斜視図である。
【図９】斜め背面側から見た蝶番の分解斜視図である。
【図１０】可動部材の取付板部に防護壁部を取り付ける状態を示す分解斜視図である。
【図１１】カバー部材を外した状態の可動部材の斜視図である。
【図１２】可動部材と固定部材の組み付け状態を示す分解斜視図である。
【図１３】カバー部材を可動部材から外した状態の斜視図である。
【図１４】開度規制部材を外した状態の蝶番の斜視図である。
【図１５】使用状態を示す蝶番の閉鎖時の断面図である。
【図１６】蝶番を僅かに開いたときの断面図である。
【図１７】蝶番を中間位置まで開いたときの断面図である。
【図１８】蝶番を完全に開いた状態の断面図である。
【発明を実施するための形態】
【００１８】
以下、本発明の実施の形態を図面に基づいて説明する。このゲーム機用蝶番は、スロットマシンなどのゲーム機の筐体２０側に固定される固定部材１とその前扉２１側に固定される可動部材１１とから構成される長尺のバタフライ型の蝶番であり、図１２に示すように、固定部材１の複数の固定軸受部５と可動部材１１の複数の可動軸受部１５を、１本の軸線上に交互に配置し組み付けた状態で、１本のヒンジ軸６を各固定軸受部５と可動軸受部１５に貫通させて構成される。
【００１９】
なお、この蝶番における正面、背面とは、図６，７に示す矢印Ｆが前面（正面）、矢印ＲＥが後面（背面）、矢印Ｌが左面、矢印Ｒが右面を示し、これは、ゲーム機に蝶番を取り付け閉鎖した状態で、ゲーム機の正面から蝶番を見たときの正面、背面である。
【００２０】
固定部材１は、図８、９に示すように、板状の縦長の取付板部２の側部に、円弧状板部３を介して軸受板部４を一体形成され、軸受板部４の縁部に、複数の固定軸受部５を１本の軸線上に形成して構成される。取付板部２には複数の仮止め溝２ａと固定孔２ｂが設けられる。円弧状板部３は固定部材１の縦方向（長手方向）に沿って連続してその全体に設けられる。仮止め溝２ａは筐体２０側の被係止部となる固定ねじ頭部等を容易に挿入可能な形状に形成され、蝶番を前扉２１とともに筐体２０に取り付ける際、容易に固定できるようになっている。固定軸受部５は、金属板からなる軸受板部４の縁部を、所定の幅で円筒状に巻き付けて形成され、所定の間隔（可動軸受部１５の長さ）をあけて複数の固定軸受部５が１本の軸線上に形成される。
【００２１】
さらに、軸受板部４と一体の円弧状板部３は、その横断面を円弧状とするように曲折して長手方向に連続して形成される。この円弧状板部３により軸受板部４の縁部に設けた固定軸受部５を取付板部１２つまり筐体２０内から前方に突き出して軸受部をオフセットすることとなる。また、円弧状板部３は、前扉２１（可動部材１１）の開閉時、可動部材１１の円弧状板部１３と重なり合って回動し、図１５のように重なって閉鎖される構造なっている。
【００２２】
一方、可動部材１１は、図８、９、１１に示すように、円弧状板部１３を有する取付板部１２とその内側に固定される防護壁板１４とを有して、縦長で長尺の枠状に形成される。取付板部１２と円弧状板部１３の内側に、複数の可動軸受部１５が１本の軸線上に配置され形成される。円弧状板部１３は、取付板部１２の縁部と一体に、且つ縦方向に連続して形成され、横断面を円弧状とするように、金属板を内側に円弧状に折り曲げて形成される。円弧状板部１３の曲率は固定部材１の円弧状板部３の曲率と略同じに形成され、開閉時に円弧状板部１３が固定側の円弧状板部３の内側に沿って重なって回動するようになっている。
【００２３】
さらに、取付板部１２の縁部には、可動軸受部１５が、金属板からなる取付板部１２の縁部を、所定の幅で円筒状に巻き付けて形成され、所定の間隔（固定軸受部５の長さ）をあけて複数の可動軸受部１５が１本の軸線上に形成される。つまり、固定部材１と可動部材１１を組み付けたとき、固定軸受部５の間に可動軸受部１５が挿入される位置に、複数の可動軸受部１５は形成される。
【００２４】
可動部材１１の防護壁板１４は、図８，９に示す如く、本体板部１４ｂと取付板部１４ａを有して構成され、長尺縦長の帯状金属板を横断面が略Ｌ形となるように曲折して形成される。図１１のように、取付板部１２の内側に、可動軸受部１５を外側から包囲するように、取付板部１２は防護壁板１４の内側に挿入され、リベットかしめ、或いは固定ねじなどの固定手段により、取付板部１２と防護壁板１４の取付板部１４ａは一体となるように、相互に強固に固定される。
【００２５】
これにより、可動部材１１の可動軸受部１５は防護壁板１４の内側に入り、可動部材１１自体が立体構造となり、防護壁部１４の本体板部１４ｂにより軸受部が包囲され、不正行為などから保護される構造となっている。さらに、可動部材１１を前扉２１の内側縁部に取り付け、前扉２１を閉じたとき、図１５のように、防護壁板１４が前扉２１と筐体２０との隙間を内側から覆うようになっている。また、可動部材１１は、断面Ｌ形の防護壁板１４を固定することにより、取付板部１２を強固に補強し、バールなどによるこじ開けを防止する構造としている。
【００２６】
蝶番は、上記固定部材１に対し可動部材１１を、ヒンジ軸６を介して回動可能に枢支して構成されるが、固定部材１と可動部材１１を回動可能に組み付ける場合、図１２に示すように、固定部材１の固定軸受部５と固定軸受部５との間に、可動部材１１の可動軸受部１５を挿入し、その状態で、１本のヒンジ軸６を複数の固定軸受部５及び可動軸受部１５に貫通するように差し込み、ヒンジ軸６の上端と下端をかしめて抜けを防止した状態として組み付けられる。これにより、可動部材１１は固定部材１に対し図１５〜図１８に示すように、少なくとも約９０°の範囲で回動可能に軸支されることとなる。
【００２７】
ヒンジ軸６を組み付けた状態で、固定部材１及び可動部材１１の上端と下端には、図１３，１４に示すように、カバー部材１８，１９が嵌着される。このカバー部材１８，１９は、固定部材１の円弧状板部３、軸受板部４、固定軸受部５の上端と下端、及び可動部材１１の取付板部１２、円弧状板部１３、防護壁板１４、及びヒンジ軸６の上端と下端を、上下から覆うので、前扉２１の開放時でも、固定部材１、可動部材１１及びヒンジ軸６の上端と下端が露出することはなく、外観の悪化やヒンジ軸６などに対する不正行為を防止することができる。
【００２８】
上記構成の蝶番は、ゲーム機の前扉２１を筐体２０に対し開閉可能に支持するために前扉２１と筐体２０間に取り付けられる。蝶番を取り付ける際、蝶番は先ず、前扉２１の内側左縁部に、可動部材１１がその取付板部１２を縦に、固定ねじを取付板部１２の固定孔に差し込み、ねじ込んで固定される。このとき、図１５〜図１８に示すように、蝶番の固定部材１の円弧状板部３の一部は、前扉２１の内側つまり筐体２０側に突出した状態で、可動部材１１は前扉２１の内側に縦に固定される。
【００２９】
次に、固定部材１を筐体２０の内側側面に固定するが、その際、固定部材１の取付板部２に設けた仮止め溝２ａを、筐体２０の内側側面に僅かに突出して設けた被係止部としての固定ねじ頭部に、係止するようにして、固定部材１の取付板部２を定位置に仮止めする。その状態で、取付板部２の固定孔２ｂに固定ねじをねじ込み、締め付け固定する。
【００３０】
このように、蝶番は先ず前扉２１に取り付けた状態で、その固定部材１の取付板部２をゲーム機の筐体２０の内側に仮止めし、その状態で固定部材１の取付板部２を筐体２０に固定して蝶番の取り付けを行うことができるので、蝶番の取り付け及び前扉２１の取り付けを簡単な作業で迅速に行うことができる。
【００３１】
この状態で、蝶番の可動部材１１つまり前扉２１は、蝶番の固定部材１つまり筐体２０に対し、ヒンジ軸６を軸に開閉回動することができる。
【００３２】
一方、前扉２１を閉鎖したとき、蝶番は図１５に示すような閉鎖状態となるが、このような閉鎖状態において、固定部材１の取付板部２から円弧状に曲げられた円弧状板部３を介して突出する軸受板部４に、ヒンジ軸６が支持され、蝶番の軸が前方にオフセットされるので、前扉２１の縁部を切り欠くことなく、前扉２１の内側に可動部材１１を取り付け、前扉２１と筐体２０間に隙間を作らずに、閉鎖することができる。
【００３３】
また、前扉２１の閉鎖時には、可動部材１１の取付板部１２の円弧状板部１３が固定部材１の円弧状板部３と重なり、且つ防護壁板１４が可動部材１１と固定部材１間を塞ぐため、前扉２１と筐体２０間に隙間が生じたとしても、防護壁板１４、取付板部１２、或いは円弧状板部１３によって、バール等の不正器具を隙間に差し込んで行う不正行為を防止することができる。さらに、固定部材１及び可動部材１１の上端部と下端部に、ヒンジ軸６を貫装した状態でカバー部材１８，１９が嵌着されるので、前扉２１の開放時に、蝶番のヒンジ軸６が露出することがなく、見栄えを良くするとともに、ヒンジ軸６に対する不正行為を防止することができる。
【符号の説明】
【００３４】
１      固定部材
２      取付板部
２ａ    仮止め溝
２ｂ    固定孔
２ｃ    切欠
３      円弧状板部
４      軸受板部
５      固定軸受部
６      ヒンジ軸
１１    可動部材
１２    取付板部
１３    円弧状板部
１４    防護壁板
１４ａ  取付板部
１４ｂ  本体板部
１５    可動軸受部
１８    カバー部材
２０    筐体
２１    前扉
【図１】
2014135977.tif 000003
【図２】
2014135977.tif 000004
【図３】
2014135977.tif 000005
【図４】
2014135977.tif 000006
【図５】
2014135977.tif 000007
【図６】
2014135977.tif 000008
【図７】
2014135977.tif 000009
【図８】
2014135977.tif 000010
【図９】
2014135977.tif 000011
【図１０】
2014135977.tif 000012
【図１１】
2014135977.tif 000013
【図１２】
2014135977.tif 000014
【図１３】
2014135977.tif 000015
【図１４】
2014135977.tif 000016
【図１５】
2014135977.tif 000017
【図１６】
2014135977.tif 000018
【図１７】
2014135977.tif 000019
【図１８】
2014135977.tif 000020